(57)【要約】【課題】本発明は、手すり部を所望の高さで、かつ、定位置で確実に保持することができ、手すりとしての機能を十分に発揮させることができ、更に、省スペース化も実現できる手すり式介護補助用品ユニットを提供する。【解決手段】本発明の手すり式介護補助用品ユニットは、天井面２に当接させる上部固定部１１と、床面３に設置する下部固定部２１と、上部固定部から垂下する上ポール３２と、下部固定部から起立する下ポール３３とからなるポール部３１と、上ポール、下ポールの対向する端部同士を直列に、かつ、ロック・ロック解除可能に連結して上ポール、下ポールを天井面、床面間の所望の位置に一体化した直立状態で固定配置するロック機構部４１と、ポール部における下ポールの任意位置にこの下ポールと並設配置に、かつ、下ポールに対して着脱可能に配置する手すり部５１とを有する構成としたものである。【選択図】図１
2020065607.tif 000002
【特許請求の範囲】
【請求項１】
天井面に当接させる上部固定部と、
床面に設置する下部固定部と、
前記上部固定部から垂下する上ポールと、下部固定部から起立する下ポールとからなるポール部と、
前記上ポール、下ポールの対向する端部同士を直列に、かつ、ロック・ロック解除可能に連結し、前記上ポール、下ポールを天井面、床面間の所望の位置に一体化した直立状態で固定配置するロック機構部と、
前記ポール部の任意位置にこのポール部と並設配置に、かつ、ポール部に対して着脱可能に配置される手すり部と、
を有することを特徴とする手すり式介護補助用品ユニット。
【請求項２】
天井面に当接させる上部固定部と、
床面に設置する下部固定部と、
前記上部固定部から垂下する上ポールと、下部固定部から起立する下ポールとからなるポール部と、
前記上ポール、下ポールの対向する端部同士を直列に、かつ、ロック・ロック解除可能に連結し、前記上ポール、下ポールを天井面、床面間の所望の位置に一体化した直立状態で固定配置するロック機構部と、
前記ポール部における下ポールの任意位置にこの下ポールと並設配置に、かつ、下ポールに対して着脱可能に配置する手すり部と、
を有することを特徴とする手すり式介護補助用品ユニット。
【請求項３】
前記手すり部は、前記ポール部側に所定の間隔をもって配置する一対の手すり片受ホルダと、短寸法の手すり片を直列に２個連結した連結手すり片の両端が嵌着されたＬ状形態の一対の手すり片支持ホルダと、を具備し、
前記一対の手すり片支持ホルダを前記一対の手すり片受ホルダに各々着脱可能に装着して、前記ポール部に並設したコの字状を呈する形態で前記連結手すり片を固定支持するように構成したことを特徴とする請求項１又は２記載の手すり式介護補助用品ユニット。
【請求項４】
前記手すり部は、前記ポール部側に所定の間隔をもって配置する一対の手すり片受ホルダと、短寸法の手すり片１個のみからなる単独手すり片の両端が嵌着されたＬ状形態の一対の手すり片支持ホルダと、を具備し、
前記一対の手すり片支持ホルダを前記一対の手すり片受ホルダに各々着脱可能に装着して、前記ポール部に並設したコの字状を呈する形態で前記単独手すり片を固定支持するように構成したことを特徴とする請求項１又は２記載の手すり式介護補助用品ユニット。
【請求項５】
前記上ポールの外周の上端側には突起部を設け、前記上部固定部における上部固定盤の内周には当該上ポールの突起部と嵌合する溝部を設けて構成したことを特徴とする請求項１又は２記載の手すり式介護補助用品ユニット。
【請求項６】
前記下ポールの外周の下端側には突起部を設け、前記下部固定部における下部固定盤の内周には当該下ポールの突起部と嵌合する溝部を設けて構成したことを特徴とする請求項１又は２記載の手すり式介護補助用品ユニット。
【請求項７】
前記手すり部は、手すり片を直列に３個連結して連結手すり片を構成したものであることを特徴とする請求項１又は２記載の手すり式介護補助用品ユニット。
【請求項８】
前記手すり部は、連結手すり片の中にスチール製のパイプを内蔵して構成したものであることを特徴とする請求項１又は２記載の手すり式介護補助用品ユニット。
【発明の詳細な説明】
【技術分野】
【０００１】
本発明は、手すり式介護補助用品ユニットに関し、詳しくは、例えばベッド等の近傍に配置されて高齢者等がベッド等から起き上がり起立しようとする場合等に使用して好適な手すり式介護補助用品ユニットに関するものである。
【背景技術】
【０００２】
高齢者や障害者、足腰等に怪我をした人等がベッド等から起き上がり起立しようとする場合や、逆にベッド等に横臥しようとするような場合等の状況においては、このような行動を補助するための何らかの介護補助用品を当該ベッド等の近傍に配置することが好ましい。
【０００３】
このような介護補助用品としては、従来、平板状の支持板部の一方側端部から、平板状の補助板部を横設した基板と、前記支持板部の前端部から立設された鉛直外基筒と、鈎状で、基端部が前記支持板部の後端部から立設され、端部が前記鉛直外基筒の所定高さ部分に連結された第一手すり部材と、前記鉛直外基筒に垂直方向に嵌挿された鉛直内筒の先端部に、手すり本体を固定した第二手すり部材と、から構成した離床支援手すりが提案されている（特許文献１）。
【０００４】
しかし、特許文献１のような離床支援手すりの場合、基板をベッド等の上面に単に載置するだけであり設置安定性に欠け第一手すり部材や第二手すり部材の定位置への保持力が弱く、第一手すり部材や第二手すり部材が使用者の起き上がり時等における手の力により容易に移動してしまい、手すりとしての機能を必ずしも十分に発揮し得ない恐れがある。
【０００５】
また、特許文献１のような離床支援手すりの場合、その構造上基板としてある程度の占有面積を必要とするものであり、省スペース化が困難である。
【先行技術文献】
【特許文献】
【０００６】
【特許文献１】登録実用新案第３１２７４０２号公報
【発明の概要】
【発明が解決しようとする課題】
【０００７】
本発明は、従来における上記事情に鑑みて開発されたものであり、手すり部を所望の高さで、かつ、定位置で確実に保持することができ、手すりとしての機能を十分に発揮させることができ、更に、省スペース化も実現できる手すり式介護補助用品ユニットを提供するものである。
【課題を解決するための手段】
【０００８】
本発明の手すり式介護補助用品ユニットは、天井面に当接させる上部固定部と、床面に設置する下部固定部と、前記上部固定部から垂下する上ポールと、下部固定部から起立する下ポールとからなるポール部と、前記上ポール、下ポールの対向する端部同士を直列に、かつ、ロック・ロック解除可能に連結して前記上ポール、下ポールを天井面、床面間の所望の位置に一体化した直立状態で固定配置するロック機構部と、前記ポール部の任意位置にこのポール部と並設配置に、かつ、ポール部に対して着脱可能に配置される手すり部と、を有することを最も主要な特徴とする。
【発明の効果】
【０００９】
請求項１記載の発明によれば、ロック機構部により上ポール、下ポールからなるポール部を天井面、床面間の所望の位置に一体化した直立状態で固定配置でき、かつ、手すり部を前記ポール部の任意位置にこのポール部と並設配置に、しかも、ポール部に対して着脱可能に固定状態で配置することができるので、手すり部を所望の高さで、かつ、定位置で確実に保持することが可能で、手すりとしての機能を十分に発揮させることができ、更に、上ポール、下ポール及びロック機構部の構成により省スペース化も実現できる手すり式介護補助用品ユニットを実現し提供することができる。
【００１０】
請求項２記載の発明によれば、ロック機構部により上ポール、下ポールからなるポール部を天井面、床面間の所望の位置に一体化した直立状態で固定配置でき、かつ、手すり部を前記下ポールの任意位置にこの下ポールと並設配置に、かつ、下ポールに対して着脱可能に固定状態で配置することができるので、手すり部を所望の高さで、しかも、定位置で確実に保持することが可能で、手すりとしての機能を十分に発揮させることができ、更に、上ポール、下ポール及びロック機構部の構成により省スペース化も実現できる手すり式介護補助用品ユニットを実現し提供することができる。
【００１１】
請求項３記載の発明によれば、請求項１又は２記載の発明において、前記手すり部は、前記ポール部側に所定の間隔をもって配置する一対の手すり片受ホルダと、短寸法の手すり片を直列に２個連結した連結手すり片の両端が嵌着されたＬ状形態の一対の手すり片支持ホルダと、を具備し、コの字状を呈する形態で前記連結手すり片を固定支持するように構成しているので、請求項１又は２記載の発明の効果を奏し、かつ、使用者の前記連結手すり片に対する握り位置の自由度が大きく極めて使用し易い手すり式介護補助用品ユニットを実現し提供することができる。
【００１２】
請求項４記載の発明によれば、請求項１又は２記載の発明において、前記手すり部は、前記ポール部側に所定の間隔をもって配置する一対の手すり片受ホルダと、短寸法の手すり片を直列に２個連結した連結手すり片の両端が嵌着されたＬ状形態の一対の手すり片支持ホルダと、を具備し、コの字状を呈する形態で前記単独手すり片を固定支持するように構成しているので、請求項１又は２記載の発明の効果を奏し、かつ、使用者が前記単独手すり片を容易に手で握り使用することができる手すり式介護補助用品ユニットを実現し提供することができる。
【００１３】
請求項５記載の発明によれば、請求項１又は２記載の発明において、上ポールの外周の上端側には突起部を設け、上部固定部における上部固定盤の内周には当該上ポールの突起部と嵌合する溝部を設けて構成しているので、上ポールの突起部と上部固定盤の溝部とを嵌合し嵌装することで、前記上ポールと後記下ポールとが回転不可となり、請求項１又は２記載の発明の効果を奏し、かつ、上下の各ポールを定位置で一層確実に保持することが可能な手すり式介護補助用品ユニットを実現し提供することができる。
【００１４】
請求項６記載の発明によれば、請求項１又は２記載の発明において、下ポールの外周の上端側には突起部を設け、下部固定部における下部固定盤の内周には当該下ポールの突起部と嵌合する溝部を設けて構成しているので、下ポールの突起部と下部固定盤の溝部とを嵌合し嵌装することで、前記上ポールと後記下ポールとが回転不可となり、請求項１又は２記載の発明の効果を奏し、かつ、上下の各ポールを定位置で一層確実に保持することが可能な手すり式介護補助用品ユニットを実現し提供することができる。
【００１５】
請求項７記載の発明によれば、請求項１又は２記載の発明において、手すり片を直列に３個連結して連結手すり片を構成しているので、請求項１又は２記載の発明の効果を奏し、かつ、手すり部の長さを一層自在に調整できる手すり式介護補助用品ユニットを実現し提供することができる。
【００１６】
請求項８記載の発明によれば、請求項１又は２記載の発明において、連結手すり片の中にスチール製のパイプを内蔵して構成しているので、請求項１又は２記載の発明の効果を奏し、かつ、手すり部を一層強固なものとした手すり式介護補助用品ユニットを実現し提供することができる。
【図面の簡単な説明】
【００１７】
【図１】図１は本発明の実施例１に係る手すり式介護補助用品ユニットの全体構成を示す概略正面図である。
【図２】図２は本実施例１に係る手すり式介護補助用品ユニットにおける上部固定部の概略分解斜視図である。
【図３】図３は本実施例１に係る手すり式介護補助用品ユニットにおける下部固定部の概略分解斜視図である。
【図４】図４は本実施例１に係る手すり式介護補助用品ユニットにおけるロック機構部のポール部に対するロック解除態様を示す概略斜視図である。
【図５】図５は本実施例１に係る手すり式介護補助用品ユニットにおける機構部のポール部に対するロック態様を示す概略斜視図である。
【図６】図６は本実施例１に係る手すり式介護補助用品ユニットにおける手すり片受ホルダ、手すり片支持ホルダの分離状態の概略拡大平面図である。
【図７】図７は本実施例１に係る手すり式介護補助用品ユニットにおける手すり片受ホルダ、手すり片支持ホルダの分離状態の概略拡大正面図である。
【図８】図８は本実施例１に係る手すり式介護補助用品ユニットにおける手すり片受ホルダの概略拡大側面図である。
【図９】図９は本実施例１に係る手すり式介護補助用品ユニットにおける手すり片支持ホルダの概略拡大側面図である。
【図１０】図１０は本実施例１に係る手すり式介護補助用品ユニットにおける手すり部の概略拡大正面図である。
【図１１（ａ）】図１１（ａ）は本実施例１に係る手すり式介護補助用品ユニットにおける２分割状態の手すり片を連結構成するようにした手すり部の図示例を分解状態で示す概略拡大正面図である。
【図１１（ｂ）】図１１（ｂ）は本実施例１に係る手すり式介護補助用品ユニットにおける３分割状態の手すり片を連結構成するようにした手すり部の図示例を分解状態で示す概略拡大正面図である。
【図１２】図１２は本発明の実施例２に係る手すり式介護補助用品ユニットの全体構成を示す概略正面図である。
【図１３】図１３は本実施例２に係る手すり式介護補助用品ユニットにおける手すり部を分解状態で示す概略拡大正面図である。
【発明を実施するための形態】
【００１８】
本発明は、手すり部を所望の高さで、かつ、定位置で確実に保持することができ、手すりとしての機能を十分に発揮させることができ、更に、省スペース化も実現できる手すり式介護補助用品ユニットを実現し提供するという目的を、天井面に当接させる上部固定部と、床面に設置する下部固定部と、前記上部固定部から垂下する上ポールと、下部固定部から起立する下ポールとからなるポール部と、前記上ポール、下ポールの対向する端部同士を直列に、かつ、ロック・ロック解除可能に連結して前記上ポール、下ポールを天井面、床面間の所望の位置に一体化した直立状態で固定配置するロック機構部と、前記ポール部における下ポールの任意位置にこの下ポールと並設配置に、かつ、下ポールに対して着脱可能に配置する手すり部と、を有する構成により実現した。
【実施例】
【００１９】
以下、図面を参照して、本発明の実施例に係る手すり式介護補助用品ユニットについて詳細に説明する。
【００２０】
（実施例１）
図１乃至図１１（ａ）、図１１（ｂ）を参照して本実施例１に係る手すり式介護補助用品ユニット１について説明する。
【００２１】
本実施例１に係る手すり式介護補助用品ユニット１は、例えばベッド等の近傍に配置されて高齢者等がベッド等から起き上がり起立しようとする場合等に使用するものである。
【００２２】
本実施例１に係る手すり式介護補助用品ユニット１は、図１に示すように、高齢者等が使用するベッド等が設置された部屋の天井面２に当接させる上部固定部１１と、当該部屋の前記上部固定部１１と対向する床面３に設置する下部固定部２１と、前記上部固定部１１から垂下する上ポール３２と、下部固定部２１から起立する下ポール３３とからなるポール部３１と、前記上ポール３２、下ポール３３の対向する端部同士を直列に、かつ、ロック・ロック解除可能に連結し、前記上ポール３２、下ポール３３を天井面２、床面３間の所望の位置に一体化した直立状態で固定配置するロック機構部４１と、前記ポール部３１における下ポール３３の任意位置にこの下ポール３３と並設配置に、かつ、下ポール３３に対して着脱可能に配置する手すり部５１と、を有している。
【００２３】
次に、本実施例１に係る手すり式介護補助用品ユニット１における上述した各要素について、図２乃至図１１（ａ）、図１１（ｂ）を参照して説明する。
【００２４】
前記上部固定部１１は、図２に示すように、上端側が開口した円筒状で、その内部に９０度間隔で配置した４個所のねじ孔部１３と、円形を呈するように分散配置した円形漏斗状の上部固定盤１２と、この上部固定盤１２の下端開口内においてスプリング１７、円筒状スペーサ１８を介在させつつ４個のボルト１４を用いて前記ねじ孔部１３に密接状態で添着する上部内装円板１５と、この上部内装円板１５と前記天井面２との間に介在させる圧接円板１６と、前記上部固定盤１２の下端開口内に嵌着される上ポール３２の上端側に嵌装されて上ポール３２の上部固定盤１２に対する嵌着領域を覆う上ポール用キャップ１９と、を具備している。
【００２５】
図示する実施例では、前記上ポール３２の外周の上端側に突起部３２ａを設け、前記上部固定盤１２の内周に上ポール３２の突起部３２ａと嵌合する溝部１２ａを設け、上ポール３２の突起部３２ａと上部固定盤１２の溝部１２ａとが嵌合し嵌装されることで、前記上ポール３２と後記下ポール３３とが回転不可となるように構成されている。
この場合、上ポール３２に設ける突起部３２ａ、上部固定盤１２に設ける溝部１２ａの設置個数は問わない。
【００２６】
また、上述した場合と同様に、後記する下ポール３３の外周の下端側に突起部３３ａを設け、後記下部固定盤２２の内周に下ポール３３の突起部３３ａと嵌合する溝部２２ａを設け、下ポール３３の突起部３３ａと下部固定盤２２の溝部２２ａとが嵌合し嵌装されるように構成しても良い。
【００２７】
そして、前記上部固定盤１２内のスプリング１７の弾力により前記上部固定部１１自体を、弾力をもって前記天井面２に圧接可能に構成している。
【００２８】
前記下部固定部２１は、図３に示すように、上端開口に下ポール３３の下端側が装着されるとともに、下端側が開口した円筒状でその内部に９０度間隔で配置した４個所のねじ孔部２３と、円形を呈するように分散配置した円形漏斗状の下部固定盤２２と、この下部固定盤２２の下端開口内において４個のボルト２６を用いて前記ねじ孔部２３に密接状態で添着する下部内装円板２７と、この下部内装円板２７と前記床面３との間に介在させる圧接円板２８と、前記下部固定盤２２の上端開口内に嵌着される下ポール３３の下端側に嵌装されて下ポール３３の下部固定盤２２に対する嵌着領域を覆う下ポール用キャップ２９と、を具備している。
図３中の符号２５は大ボルトであり、当該大ボルト２５は、下部内装円板２７の中心孔部２５ａ、下部固定盤２２のボルト孔部２４を通って、下ポール３３の下端側に固定設置したボルト（ネジ）受け部２５ｂに締着されて、下部内装円板２７、下部固定盤２２、下ポール３３を強固に締めつけ締め込むようになっている。
【００２９】
前記ロック機構部４１は、図４、図５に示すように、前記上ポール３２、下ポール３３の対向する端部同士を直列に、かつ、ロック・ロック解除可能に連結し、前記上ポール３２、下ポール３３を天井面２、床面３間の所望の位置に一体化した直立状態で固定配置可能に構成したものである。
【００３０】
すなわち、前記ロック機構部４１は、上ポール３２の下端部が装着される上ロック円筒部本体４２と、この上ロック円筒部本体４２の上部外側に設けた操作レバー４８の上端部を支持する操作レバー支持部４３と、上ロック円筒部本体４２の下部側に設けた嵌合円筒部４４と、を具備している。
【００３１】
前記上ロック円筒部本体４２は、その長さ方向に（図示しないが）小幅の縦割り隙間部を形成し、また、操作レバー４８における操作レバー支持部４３との連結部には図示しないが円形カム機構を内装している。
【００３２】
また、前記ロック機構部４１は、下ポール３３の上端部が下側から装着されるとともに上側から前記嵌合円筒部４４が嵌装される下円筒部本体４５と、この下円筒部本体４５の外周側で、かつ、下円筒部本体４５の長さ方向に沿って設けた長穴部４６と、前記操作レバー４８の中間部に一端側をピン結合で取り付け、前記長穴部４６に他端側をピン結合で連結したスライド用連結バー４７と、を具備している。
【００３３】
そして、前記操作レバー４８を図４に示すように外方に操作したときには、この操作レバー４５の操作に伴い前記上ロック円筒部本体４２を上方向に変位させると同時に前記円形カム機構の動作で前記上ロック円筒部本体４２の内径をわずかに拡張させ上ロック円筒部本体４２による上ポール３２のロックを解除するように構成している。
【００３４】
また、前記操作レバー４８を、図５に示すように、下円筒部本体４５に添設するようにしたときには、この操作レバー４５の操作に伴い、前記上ロック円筒部本体４２側の嵌合円筒部４４を下円筒部本体４５内に嵌合させると同時に前記円形カム機構の動作で前記上ロック円筒部本体４２の内径を縮径させ、上ロック円筒部本体４２により上ポール３２をロックするように構成している。
【００３５】
前記手すり部５１は、図１及び図６乃至図９、図１０、図１１（ａ）に示すように、前記ポール部３１における下ポール３３側に所定の間隔をもって上下に配置する一対の手すり片受ホルダ５２、５２と、短寸法で外周部を柔軟な素材により凹凸を有するように形成した手すり片５４を直列に２個連結した連結手すり片５３の両端が嵌着された上下対称のＬ状形態の一対の手すり片支持ホルダ５５、５５と、を具備し、前記一対の手すり片支持ホルダ５５、５５を前記一対の手すり片受ホルダ５２、５２に例えば各々ボルト・ナット結合により着脱可能に装着して、前記ポール部３１における下ポール３３に並設したコの字状を呈する形態で前記連結手すり片５３を固定支持するように構成している。
【００３６】
図１１（ａ）に示すように、前記直列に２個連結して構成した連結手すり片５３の手すり片５４中には、手すり片５４に合致した長さ（例えば手すり片５４の上端部から下端部に至る長さ）でスチール製のパイプ５６を内蔵して、手すり片５４の全体の強度を増すように構成しても良い。
【００３７】
なお、前記図１１（ａ）の変形例として、図１１（ｂ）に示すように、前記手すり片を直列に３個連結して連結手すり片５３Ｂを構成するようにしても良い。連結手すり片５３Ｂを当該構成とした場合、連結手すり片５３Ｂの全体の長さを一層自在に調整できる。この場合においても、手すり片５４ｂの長さに応じて、手すり片５４ｂの中に、スチール製のパイプ５６ｂを内蔵して、連結手すり片５３Ｂの全体の強度を増すように構成しても良い。
【００３８】
本実施例１に係る手すり式介護補助用品ユニット１によれば、前記ロック機構部４１により上ポール３２、下ポール３３からなるポール部３１を天井面２、床面３間の所望の位置に一体化した直立状態で固定配置でき、手すり部５１を前記ポール部３１の任意位置にこのポール部３１と並設配置に、かつ、ポール部３１に対して着脱可能に固定状態で配置することができるので、手すり部５１を所望の高さで、定位置で確実に保持することが可能であり、手すりとしての機能を十分に発揮させることができ、更に、上ポール３２、下ポール３３及びロック機構部４１の構成により設置領域の省スペース化も実現することができる。
【００３９】
この場合に、前記手すり部５１は、前記ポール部３１側に所定の間隔をもって配置する一対の手すり片受ホルダ５２、５２と、短寸法の手すり片５４を直列に２個連結した連結手すり片５３の両端が嵌着されたＬ状形態の一対の手すり片支持ホルダ５５、５５と、を具備し、コの字状を呈する形態で前記連結手すり片５３を固定支持するように構成しているので、使用者の前記連結手すり片５３に対する握り位置の自由度が大きく極めて使用し易くすることができる。
【００４０】
（実施例２）
次に、図１２、図１３を参照して本発明の実施例２に係る手すり式介護補助用品ユニット１Ａについて説明する。
【００４１】
なお、本実施例２に係る手すり式介護補助用品ユニット１Ａにおいて、既述した実施例１に係る手すり式介護補助用品ユニット１の場合と同一の要素には同一の符号を付し、その詳細説明は省略する。
【００４２】
本実施例２に係る手すり式介護補助用品ユニット１Ａは、基本的構成は実施例１に係る手すり式介護補助用品ユニット１の場合と同様であるが、前記連結手すり片５３に替えて、短寸法の手すり片５４のみからなる単独手すり片５３Ａを前記ポール部３１における下ポール３３に並設する形態で配置したことが特徴である。
なお、本実施例２に係る手すり式介護補助用品ユニット１Ａの場合においても、前記図１１（ａ）に示すように、単独手すり片５３Ａの手すり片５４中に、手すり片５４に合致した長さ（例えば手すり片５４の上端部から下端部に至る長さ）でスチール製のパイプ５６を内蔵して、手すり片５４の全体の強度を増すように構成しても良い。
【００４３】
本実施例２に係る手すり式介護補助用品ユニット１Ａによれば、実施例１に係る手すり式介護補助用品ユニット１の場合と同様な効果を奏するとともに、前記単独手すり片５３Ａを前記ポール部３１における下ポール３３に並設する形態で配置しているので、使用者が前記単独手すり片５３Ａを容易に手で握り使用することが可能となる。
【００４４】
なお、上述した本実施例１に係る手すり式介護補助用品ユニット１、本実施例２に係る手すり式介護補助用品ユニット１Ａにおいて、前記上ポール３２、下ポール３３の長さの選定や、前記手すり部５１の設置高さの設定、更には、連結手すり片５３、単独手すり片５３Ａのいずれを選定するかは、設置対象箇所の環境に応じて適宜選定可能であることは勿論である。
【産業上の利用可能性】
【００４５】
本発明の手すり式介護補助用品ユニットは、例えば高齢者や障害者、足腰等に怪我をした人等がベッド等から起き上がり起立しようとする場合や、逆にベッド等に横臥しようとするような場合、更には、敷布団、椅子、食卓，こたつ等から起立したり、着座するような場合に好適であり、一般家庭内は勿論のこと、病院、介護施設等、広範な場所において広範に利用可能である。
【符号の説明】
【００４６】
１    手すり式介護補助用品ユニット
１Ａ  手すり式介護補助用品ユニット
２    天井面
３    床面
１１    上部固定部
１２    上部固定盤
１２ａ  溝部
１３    ねじ孔部
１５    上部内装円板
１６    圧接円板
１７    スプリング
１８    円筒状スペーサ
１９    上ポール用キャップ
２２ａ  溝部
２３    ねじ孔部
２４    ボルト孔部
２５    大ボルト
２５ａ  中心孔部
２５ｂ  ボルト（ネジ）受け部
２６    ボルト
２７    下部内装円板
２８    圧接円板
２９    下ポール用キャップ
３１    ポール部
３２    上ポール
３２ａ  突起部
３３    下ポール
３３ａ  突起部
４１    ロック機構部
４２    上ロック円筒部本体
４３    操作レバー支持部
４４    嵌合円筒部
４５    下円筒部本体
４６    長穴部
４７    スライド用連結バー
４８    操作レバー
５１    手すり部
５２    手すり片受ホルダ
５３    連結手すり片
５３Ａ  単独手すり片
５３Ｂ  連結手すり片
５４    手すり片
５４ｂ  手すり片
５５    手すり片支持ホルダ
５６    パイプ
５６ｂ  パイプ
【図１】
2020065607.tif 000003
【図２】
2020065607.tif 000004
【図３】
2020065607.tif 000005
【図４】
2020065607.tif 000006
【図５】
2020065607.tif 000007
【図６】
2020065607.tif 000008
【図７】
2020065607.tif 000009
【図８】
2020065607.tif 000010
【図９】
2020065607.tif 000011
【図１０】
2020065607.tif 000012
【図１１（ａ）】
2020065607.tif 000013
【図１１（ｂ）】
2020065607.tif 000014
【図１２】
2020065607.tif 000015
【図１３】
2020065607.tif 000016